(57)【要約】【課題】スペースを取らず、乾きが早いジグザグ干しを簡単に行なえる方法を提供することであり、その為のジグザグ干し用吊り下げクリップを提供すること。【解決手段】ジグザグ状に折り畳まれた洗濯された洗濯物８の上端部がジグザグ干し用吊り下げクリップ１により保持されて角ハンガーの補助枠１２に吊り下げられた状態にしておき、次に洗濯物８の上端部を多数の洗濯バサミでジグザグを開いた形となる様に順次挟んでゆく様にし、この後にジグザグ干し用吊り下げクリップ１を洗濯物８から外す様にする。ジグザグ干し用吊り下げクリップ１はクリップ部及びこれに連結するフック部より成り、フック部の有効幅は２ｃｍ以上としてある。【選択図】図２
2012066045.tif 000002
【特許請求の範囲】
【請求項１】
ジグザグ状に折り畳まれた洗濯された洗濯物の上端部がジグザグ干し用吊り下げクリップにより保持されて多数の洗濯バサミを有する角ハンガーの補助枠に吊り下げられた状態にしておき、次に前記洗濯物の上端部を多数の洗濯バサミでジグザグを開いた形となる様に順次挟んでゆく様にし、この後に前記ジグザグ干し用吊り下げクリップを洗濯物から外す様にして洗濯物をジグザグ干しにする方法。
【請求項２】
ジグザグ状に折り畳んだ洗濯物を洗濯ネットの中に入れて洗濯する様にした請求項１記載の洗濯物をジグザグ干しにする方法。
【請求項３】
クリップ部及びこれに連結するフック部より成るジグザグ干し用吊り下げクリップであり、前記フック部の有効幅が２ｃｍ以上であるジグザグ干し用吊り下げクリップ。
【請求項４】
クリップ部のアームにフック部が連結する請求項３記載のジグザグ干し用吊り下げクリップ。
【請求項５】
多数の洗濯バサミを有する角ハンガーの補助枠に前記洗濯バサミより大型のジグザグ干し用吊り下げクリップを定位置的に備えた角ハンガー。
【発明の詳細な説明】
【技術分野】
【０００１】  本発明はシーツなどの大型の洗濯物を干す時にコンパクトに干すことのできる、洗濯物をジグザグ干しにする方法及びジグザグ干し用吊り下げクリップに関するものである。
【背景技術】
【０００２】  一般にシーツなどの大型の洗濯物を干す時は物干し竿に掛けて干すが、この方法はスペースを大きく取り、物干し竿に他の洗濯物が余り干せなくなる欠点がある。この為、多数の洗濯バサミを有する角ハンガーにシーツなどの洗濯物をジグザグ状にして干すこと（以下、ジグザグ干し）が行なわれる（図２（チ）参照）。しかしこの方法はシーツなどの大型の洗濯物を片手で持ちながら幾つもの洗濯バサミを使って洗濯物がジグザグ状となる様に順次挟んでゆく様にするので、非常に面倒であり、正しくジグザグ干しとなる前の段階では洗濯物は長く垂れ下っているから、地に接して汚れる事が起る。
【発明の開示】
【発明が解決しようとする課題】
【０００３】  本発明の目的は、スペースを取らず、乾きが早いジグザグ干しを簡単に行なえる方法を提供することであり、その為に使われるジグザグ干し用吊り下げクリップを提供する事にある。
【課題を解決する為の手段】
【０００４】  本発明は上記目的を達成する為、ジグザグ状に折り畳まれた洗濯された洗濯物の上端部がジグザグ干し用吊り下げクリップにより保持されて多数の洗濯バサミを有する角ハンガーの補助枠に吊り下げられた状態にしておき、次に前記洗濯物の上端部を多数の洗濯バサミでジグザグを開いた形となる様に挟んでゆく様にし、この後に前記ジグザグ干し用吊り下げクリップを洗濯物から外す様にして洗濯物をジグザグ干しにする様にした。ジグザグ干し用吊り下げクリップはクリップ部及びこれに連結するフック部より成り、フック部はその有効幅を２ｃｍ以上である様にした。
【発明の効果】
【０００５】  本発明によればシーツなどの大型の洗濯物を予めジグザグ状に折り畳んでおき（洗濯する前の段階であるから、蒲団や畳の上で簡単にできる――洗濯した後では洗濯機の中で行なうしか方法はなく、これではジグザグ状に折り畳む事は相当に苦労を要する）、これを崩れない様に洗濯ネットなどに入れて洗濯・脱水した後にジグザグ干し用吊り下げクリップにより角ハンガーの補助枠に吊り下げられた状態にしておくので、洗濯物を手で持つ必要がなく、洗濯物をジグザグ干しにする事が簡単であり、従来の様に途中で洗濯物が長く垂れ下がって地に接し、汚れる事もない。
【発明を実施する為の最良の形態】
【０００６】  図１（イ）は本発明によるジグザグ干し用吊り下げクリップを示し、ジグザグ干し用吊り下げクリップ１は通常の洗濯バサミと同様の構造のクリップ部を有し、このクリップ部は一対のアーム２と洗濯物を挟む挟み部３とバネ４とから成り、アーム２の上部にある穴にフック部５が連結している（前記穴に嵌り込んで、抜けなくなっている）。このフック部５は角ハンガーの枠に掛けるので有効幅Ｗは２ｃｍ以上必要であり、フック部５を角ハンガーの枠に掛けた時に滑らない様にゴム、塩化ビニール樹脂などの高摩擦材料６で被覆しておく事が望ましい、フック部５はクリップ部に対してある程度自由に角度を変える事ができ（緩い嵌合）、下方部Ｈの間はアーム２の幅より大きい幅であり、この下方部Ｈの下にあるアーム２の部分を指で摘んでフック部５を角ハンガーの枠に掛けるのである。フック部５は図１（ロ）の様にバネ４に連結させる事もできる。７は節で、この下方部を指で摘んでフック部５を角ハンガーの枠に掛ける。
次に洗濯物をジグザグ干しにする方法を説明する。先ず図２（イ）の様にシーツなどの洗濯物８（未だ洗濯はしていない）をジグザグ状に折り畳み（図２（イ）は４つ折りであるが、図２（ロ）の様に６つ折りでも良い――洗濯前の段階であるから、これは蒲団や畳の上で簡単にできる）、これを図２（ハ）の様に洗濯ネット９には入る様に更に適当に折り畳んで中に入れ、図２（ニ）の様に洗濯機で洗濯・脱水する。続いて洗濯ネット９から洗濯物を取り出して、ジグザグ状に折り畳んだ一端部を図２（ホ）の様に手で持って図２（ヘ）の様に角ハンガー１０の補助枠１２（外枠１１の補強等をする枠）に掛けられているジグザグ干し用吊り下げクリップ１に挟んで吊り下げる。次に図２（ト）の様にこの吊り下げられた洗濯物８の手前側をジグザグを広げる様に幾つかの洗濯バサミを使って挟み、同様に洗濯物８の向う側もジグザグを広げる様に幾つかの洗濯バサミを使って挟む。そして最後に、ジグザグ干し用吊り下げクリップ１を外せば、図２（チ）の様に洗濯物のジグザグ干しが完成する。以上においてはジグザグ干し用吊り下げクリップ１は図２（ヘ）の段階で洗濯物８を挟む様にしているが、予め角ハンガーから外しておいて図２（ハ）の段階で洗濯物８を挟んでも良いし、図２（ホ）の段階で洗濯ネットから取り出してから挟む様にしても良い、又、図２（ハ）の段階では洗濯物８は洗濯ネット９を使わずに、輪ゴムなどで巻いて崩れない様にしても良い、この様に本発明ではシーツなどの大型の洗濯物を洗濯する前に予めジグザグ状に折り畳んでおき、これを崩さない様に洗濯してからジグザグ干し用吊り下げクリップ１により角ハンガーの補助枠１２に吊り下げられた状態としておくので、洗濯物を手で持つ必要はなく、角ハンガーに備えられた洗濯バサミにより洗濯物をジグザグ干しにする事は簡単にできるのである（既にその様に折り畳まれているので）。即ち、シーツなどの大型の洗濯物を図２（イ）、（ロ）の段階でジグザグ状に折り畳む事は蒲団や畳の上で簡単にできるが、洗濯してから図２（ニ）の段階で洗濯槽の中で行なう様にすると、これは容易ではない。又、図２（ヘ）の段階でジグザグ干し用吊り下げクリップ１を使わずに洗濯物をジグザグ干しにする事も、これは容易ではないのである、尚、ジグザグ干し用吊り下げクリップのフック部５が横滑りしない様に図２（ヘ）の補助枠１２には図２（リ）の様に突起１３を形成しておくと良い、図１におけるジグザグ干し用吊り下げクリップ１は角ハンガーの補助枠に掛けるに当りフック部５により行なっていたが、図３（イ）の如くクリップ部に連結する吊り下げ部材１４（紐状のもの）に備えられた節１５により行なう事も考えられる。即ち、図３（ロ）は図２（ヘ）の角ハンガー１０を上方から見た図に相当し、導入溝１７に吊り下げ部材１４を横から挿入し、穴１６に嵌め込めば、節１５がストッパーとなって図３（イ）のジグザグ干し用吊り下げクリップを補助枠１２に吊り下げる事ができる。図１，図３（イ）におけるジグザク干し用吊り下げクリップは角ハンガーに対し簡単に脱着可能に備えられたものであったが、図３（ハ）の如く（図２（ヘ）における角ハンガー１０を上方から見た図に相当）定位置的に備える様にしても良い。即ち図３（ハ）において、ジグザグ干し用吊り下げクリップ（図示せず）は補助枠１２に定位置的に備えられ（外枠１１に備えられている洗濯バサミと同様に簡単には脱着できない様に備えられている）、外枠１１に備えられている洗濯バサミよりはシーツなどの大型の洗濯物を挟み易い様に大型に作られている、１８はそのジグザグ干し用吊り下げクリップを吊り下げる位置を示すもので、補助枠１２のほぼ中央部が望ましい。
【０００７】  一般にＴシャツなどの衣服類は洗濯して干したり、収納しておく場合は、その首部から衣紋掛けを差し入れるが、首部が小さい場合は差し入れるのに一苦労するし、無理に差し入れると首部が伸びて形崩れを起す、これらの欠点を解消する衣紋掛けを図４（イ）に示す、即ち図４（イ）において、衣紋掛け１９は一対の肩掛け部材２０（衣類の肩部を掛ける部材）とこれらにつながるフック部２２とから成る衣紋掛けにおいて、一方の肩掛け部材２０に注目し、同肩掛け部材２０がフック部２２につながるべき部位において同肩掛け部材２０に欠落部２３を有する様にしてある（同肩掛け部材２０は欠落部２３において方向を変え、最終的にはもう一方の肩掛け部材２０に連結部Ａにおいて連結しているが、図４（ヘ）の如く欠落部２３において途切れていても良い）。図４（ロ）の如くフック部２２を手に持って衣服の首部２４に衣紋掛け１９の欠落部２３を有する肩掛け部材２０を差し入れ、更に図４（ハ）の如く欠落部２３を通して連結部Ａに当るまで入れると、もう一方の肩掛け部材２０（図では右側のもの）は容易に首部２４の中には入るので、これを入れ、図４（ニ）の如く衣紋掛け１９を反対方向へ動かせば、図４（ホ）の如く首部２４が小さな衣服でも容易に衣紋掛け１９に掛ける事ができる。従来の衣紋掛けは欠落部２３がない為、フック部２２で衣服の首部２４が止められてしまい、それを越える事ができないので、首部２４に衣紋掛けを差し入れる事に一苦労したのである。フック部２２は自由に回転できる構造としても良く、固定した構造としても良い。尚、図４（イ）において衣紋掛け１９は横部材２１がない構造のものも考えられる（図４（ト）参照）。図４（イ）の衣紋掛け１９は複数個をまとめた１つの構造とする事も可能である、即ち、図４（チ）の如く衣紋掛け１９′は複数個（例えば６個）が支持部材２５に連結部材２６により各々連結・支持されており、衣紋掛け１９′は図４（イ）の衣紋掛け１９においてフック部２２を連結部材２６で置き換えた構造に相当するものである。即ち、衣紋掛け１９′は一対の肩掛け部材２０′とこれらにつながる連結部材２６とから成る衣紋掛けにおいて、一方の肩掛け部材２０′に注目し、同肩掛け部材２０′が連結部材２６につながるべき部位において同肩掛け部材２０′に所定の長さの欠落部２３′を有する様にしたものである。図４（リ）に示す衣紋掛けは一対の肩掛け部材２０″を有する衣紋掛けにおいて、一方の肩掛け部材２０″から延びて来る補助部材２７を有し、この補助部材２７は他方の肩掛け部材２０″の方へ所定長さを延びた後に曲って再び戻って来る構成を為し、フック部２２′を有している。間隔２８は図４（イ）における欠落部２３に相当する働らきがあるから、図４（イ）と同様に容易に衣服の首部に差し入れる事ができる、図４（ヌ）は一対の肩掛け部材２０″を有する衣紋掛けにおいて、一方の肩掛け部材２０″の所定位置から衣紋掛けの左右対称軸の方へ曲って延びる補助部材２７′を有する構造のもので、補助部材２７′の先端部はフック部２２′に（又は図４（チ）の連結部材２６に）つながっている、間隔２８′は図４（リ）の間隔２８に相当するから、同様の目的を達成する事ができる。
【図面の簡単な説明】
【０００８】
【図１】ジグザグ干し用吊り下げクリップを示す図。
【図２】洗濯物をジグザグ干しにする方法を示す図。
【図３】本発明の各種実施例を示す図。
【図４】衣紋掛け及びその使い方を示す図。
【符号の説明】１はジグザグ干し用吊り下げクリップ、２はアーム、３は挟み部、４はバネ、５はフック部、６は高摩擦材料、７は節、８は洗濯物、９は洗濯ネット、１０は角ハンガー、１１は外枠、１２は補助枠、１３は突起、１４は吊り下げ部材、１５は節、１６は穴、１７は導入溝、１８はジグザグ干し用吊り下げクリップの位置を示す部位、１９・１９′は衣紋掛け、２０・２０′・２０″は肩掛け部材、２１は横部材、２２・２２′はフック部、２３・２３′は欠落部、２４は衣服の首部、２５は支持部材、２６は連結部材、２７・２７′は補助部材、２８・２８′は間隔、Ａは連結部である。
【図１】
2012066045.tif 000003
【図２】
2012066045.tif 000004
【図３】
2012066045.tif 000005
【図４】
2012066045.tif 000006